(57)【要約】【課題】容易に、平面形状の及び輪郭が滑らかな立体形状の小口に表示部をもつ物品を製造する。【解決手段】本発明は、複数のシート２ａの表面に同一の表示パターン７を印刷する工程と、前記表示パターン７を印刷した複数のシート２ａの束の上端縁５を接着剤により糊付けしてシート束２を形成する工程と、前記糊付けしたシート束２を定盤１０ａ上に載置し、前記上端縁５を挟持具８ｂに挟んで固定し、該挟持具８ｂと一体に設けた心棒８に所定角度巻きつける工程と、前記シート束２を所定角度前記心棒８に巻きつけ保持した状態で、前記シート束２の下端縁６ａをシート面に直角方向に裁断する工程と、からなることを特徴とする平面形状あるいは立体形状の小口に表示パターン７をもつ物品１、例えば、メモ帳、用紙、服地見本帳等、の製造方法に関する。【選択図】図１
2010162720.tif 000002
【特許請求の範囲】
【請求項１】
複数のシートの表面に同一の表示パターンを印刷する工程と、
前記表示パターンを印刷した複数のシートの束の上端縁を接着剤により糊付けしてシート束を形成する工程と、
前記糊付けしたシート束を、前記上端縁を挟持具に挟んで固定し、該挟持具と一体に設けた心棒に所定角度巻きつける工程と、
前記シート束を所定角度前記心棒に巻きつけ保持した状態で、前記シート束の下端縁をシート面に直角方向に裁断する工程と、
からなることを特徴とする平面状の小口に表示部をもつ物品の製造方法。
【請求項２】
複数のシートの表面に同一の表示パターンを印刷する工程と、
前記表示パターンを印刷した複数のシートの束の上端縁を、乾燥後伸縮自在な接着剤で仮糊付する工程と、
前記仮糊付したシート束を挟持具に挟んで固定し、所定の形状に形成された凹型に対して押圧してシート束の下端縁を当接させた後、該挟持具と一体に設けた心棒に所定角度巻きつける工程と、
前記シート束を所定角度前記心棒に巻きつけ保持した状態で、前記シート束の下端縁をシート面に直角方向に裁断する工程と、
前記下端縁を裁断したシート束を前記心棒から巻き戻して、前記上端縁を揃え直してシート面に直角に戻して前記仮糊付した上端縁を接着剤で再糊付けする工程と、
からなることを特徴とする立体状の小口に表示部をもつ物品の製造方法。
【請求項３】
前記心棒にシート束を巻きつける所定角度が０度以上であることを特徴とする請求項１もしくは２に記載の小口に表示部をもつ物品の製造方法。
【請求項４】
前記シート束を裁断した後、前記シート束を前記心棒から巻き戻し平坦状にした時、前記シートの上地の下端縁と次地の下端縁との間に所定の寸法の面差が形成されることを特徴とする請求項１もしくは２に記載の小口に表示部をもつ物品の製造方法。
【請求項５】
前記小口に表示部をもつ物品が、メモ帳であることを特徴とする請求項１もしくは２に記載の小口に表示部をもつ物品の製造方法。
【請求項６】
前記小口に表示部をもつ物品が、用紙、服地あるいは壁クロス等の見本帳であることを特徴とする請求項１もしくは２に記載の小口に表示部をもつ物品の製造方法。
【発明の詳細な説明】
【技術分野】
【０００１】
本発明は、シート束の平面形状あるいは立体形状の小口（下端縁）に表示部をもつ物品の製造方法に関する。
【背景技術】
【０００２】
図８は、従来のシート束（例えば、メモ帳）の平面形状の小口（下端縁）に表示部（例えば、絵柄）をもつ物品の製造方法で製造した斜め小口表示（絵柄印刷パターン）をもつメモ帳１１の斜視図を示す。
【０００３】
このメモ帳１１は、所定の大きさの多数（例えば１００枚）の用紙（シート）１３をその上端縁１８の綴じ面（背口）を揃えて重合し、上端縁１８を接着剤等により容易にそれらが離脱できるように固定する。そして、その下端縁を解放状として傾斜させた平面形状の斜め小口１６とし、絵柄印刷パターンとして、この斜め小口１６の表面に、アルファベット、絵柄等（例えばＡ文字）の斜小口表示１７を浮出して形成する。さらに、メモ帳１１の両側に、左側束１４と右側束１５とを形成して、所定の巾をメモ帳１１にもたせるとともに、用紙１３の最上面に社名等を印刷した表紙（天面）１２と用紙１３の最下面には幾分厚手の台紙からなる裏表紙１９とが貼付されている。このような構成により、メモ帳１１の用紙１３を指でめくっても最後まで、用紙の表面に印刷したパターン、例えば、斜め小口表示（絵柄印刷パターン）１７、が平面形状の斜め小口１６に浮き出るようになっている。
【０００４】
そして、このようなメモ帳１１を製造するには、図８に示す複数の用紙１３の紙面に同一のパターン１７（例えば、絵柄、文字等）を印刷し、前記印刷パターン１７を印刷した複数の用紙１３の束の上端縁１８を仕上げ裁断した後、該上端縁１８を糊付けし、前記上端縁１８を、図９に示すように、支持部材２２に取付けた挟持具（クリッパー）２４に挟んで固定し、定盤２３上に載置し、該挟持具２４を反転させて前記上端縁１８と用紙の束の下端縁１６ａとがほぼ直角となるように折曲して突当板２１で押圧してプレス機（図示せず）に取り付け、該プレス機の裁断刃２０により前記下端縁１６ａを紙面に直角方向に裁断する。これにより、用紙束の折曲を元に戻すと、前記下端縁１６ａが斜面１６となって、該斜面（斜め小口）１６に、図８に示すような、絵柄印刷パターンが浮出るようになる（特許文献１参照）。
【０００５】
また、図１０（ａ），（ｂ）に示すような、立体形状の小口に絵柄パターン等をもつ絵柄浮出し物品を製造するには、まず、図１０（ａ）に示すように、立体形状の小口を形成したメモ帳等の絵柄パターンをもつ絵柄浮出し物品３０は、所定の大きさの多数（例えば１００枚）の用紙３２をその上端縁３３の綴じ面（背口）を揃えて重合して紙束とし、上端縁３３を糊（のり）等の接着剤により容易にそれらが互いに解離できるように仮綴じする。そして、紙束３２の下端縁を解放状として、後述する本発明の立体絵柄浮出し物品の製造方法により裁断して立体形状に傾斜した斜め小口３４とし、予め印刷した同一の絵柄（例えば、ハンバーガーの絵柄）が用紙束３２を指でぱらぱらとめくることにより、また一枚づつ取り除くことにより、この立体形状の斜め小口３４の面に絵柄パターン（ハンバーガー）が立体状に浮き出るようになる。さらに、メモ帳３０の両側に左側束３５と右側束３６とを形成して所定の巾をメモ帳３０にもたせてある。
【０００６】
また、図１０（ａ）に示したメモ帳３０の立体状の斜小口３４は、図１０（ａ）のＹ−Ｙ線矢視断面図である図１０（ｂ）に示すように、用紙束３２の紙面に対してθ1の上向き角度をもつ部分３４ａと、θ2の角度をもつ部分３４ｂと、θ3の角度をもつ（θ1＞θ2＞θ3）３４ｃとから、それぞれ構成され、絵柄を斜小口３４に立体形状に浮出すようになっている。
【０００７】
そして、このような立体形状の斜め小口３４（３４ａ，３４ｂ，３４ｃ）を形成するためには、プレス機（図示せず）のクリッパー（挟持具）（図示せず）に、印刷糊付けした用紙３２の束の上端縁３３を挟持する。そして、クリッパーを紙厚等を考慮して制御して駆動させ、紙束３２を所定圧で挟持する。
【０００８】
挟持後、搬送装置（図示せず）を最初のプレス機の前面まで移動させ、クリッパーをθ1度旋回させてプレス機のプレス加工台に紙束３２を押し付けてからプレス抜き型を降下させて紙束３２の裁断を行い最初の形状（例えば部分）３４ａを形成する。次いで、クリッパーをその旋回原点に戻してから、さらに搬送装置を次のプレス機の前面まで移動させ、クリッパーをθ2度旋回させてプレス機のプレス加工台に紙束３２を押し付けて別のプレス抜き型により裁断位置を変えて部分３４ｂを形成し、さらに、同様に別のプレス機まで移動させてクリッパーをθ3度旋回させて部分３４ｃを形成する（特許文献２参照）。
【先行技術文献】
【特許文献】
【０００９】
【特許文献１】特開平１１−７８２９９号公報
【特許文献２】特開２０００−２５３６６号公報
【発明の概要】
【発明が解決しようとする課題】
【００１０】
しかしながら、このような従来の平面形状の斜め小口に絵柄印刷パターンが浮出るようにした物品を製造するには、まず、複数の用紙を揃えて束にし、この用紙束の上端縁を仕上げ裁断した後、該上端縁を糊付してから、上端縁を挟持具（クリッパー）により挟持し、該挟持具を反転させて用紙束の上端縁と下端縁とがほぼ直角となるように折曲してプレス機に取り付け、用紙束をプレス機の裁断刃により紙面に直角方向（矢印方向）に裁断して、下端縁を斜め小口に形成し、この斜め小口に、絵柄印刷パターンを浮出させるようにしていた。
【００１１】
そのため、斜め小口への絵柄印刷パターンを浮き出させるために、まず、用紙束の上端縁を、まず揃えて裁断し、ついで、挟持具（クリッパー）により、一旦、用紙束の上端縁を挟持してから、挟持具を反転させた後、用紙束を紙面に直角方向に裁断する手間が不可欠であるとともに、挟持具の構造上の制約から、ほぼ直角に用紙束を折曲することが限度であった。
【００１２】
また、上述したようにして立体状の絵柄浮出し物品を製造するためには、異なった断面形状の数に応じてクリッパーを旋回してその角度を変えるとともに、クリッパーを旋回原点に戻してから、それぞれ異なった位置に配設されているプレス機へ搬送してプレス加工する必要があった。そのため、その製造工程が複雑になるとともに、その歩留りの向上が期待できないとともに、同様に、クリッパーの旋回構造上の制約から、用紙束をほぼ直角以上の角度に折曲することが限度であった。また、小口に形成した立体形状の輪郭が滑らかではなかった。
【課題を解決するための手段】
【００１３】
上記した課題を解決するために、本発明は、心棒にシート束を所定角度まで巻き取った後、シート束の下端縁を裁断することにより、容易にシート束の平面形状あるいは立体形状の下端縁（小口）に表示部をもつ物品を製造する。
【００１４】
本発明の平面形状の小口に表示部をもつ物品の製造方法は、複数のシートの表面に同一の表示部を印刷する工程と、前記表示部を印刷した複数のシートの束の上端縁を接着剤により糊付けする工程と、前記糊付けしたシート束を定盤上に載置し、前記上端縁を挟持具に挟んで固定し、該挟持具と一体に設けた心棒に所定角度（回数）巻きつける工程と、前記シート束を所定角度前記心棒に巻きつけ保持した状態で前記シート束のシート面に直角方向に裁断する工程と、からなることを特徴とする。
【００１５】
また、本発明の立体形状の小口に表示部をもつ物品の製造方法は、複数のシートの表面に同一の表示パターンを印刷する工程と、前記表示パターンを印刷した複数のシートの束の上端縁を乾燥後伸縮自在な接着剤で仮糊付する工程と、前記仮糊付したシート束を挟持具に挟んで固定し、所定の形状に形成された型に対して押圧してシート束の下端縁を当接させ、該挟持具と一体に設けた心棒に所定角度巻きつける工程と、前記シート束を所定角度前記心棒に巻きつけ保持した状態で、前記シート束の下端縁をシート面に直角方向に裁断する工程と、前記下端縁を裁断したシート束を巻き戻して、前記上端縁をシート面に直角に揃え直し戻して前記仮糊付した上端縁を接着剤で再糊付けする工程と、からなることを特徴とする。
【発明の効果】
【００１６】
このような工程により、本発明では、容易に、平面形状の及び輪郭が滑らかな立体形状の小口に表示部を浮き出した物品を製造できる。
【図面の簡単な説明】
【００１７】
【図１】本発明のシート束の小口に表示部をもつ物品の製造方法の実施例であるメモ帳、用紙、服地・壁クロスの見本帳の製造方法の製造工程を示し、図１（ａ）は、メモ帳、見本帳の上端縁を通常の糊で糊付けした状態を、図１（ｂ）は、糊付けしたシート束の上端縁を挟持具で挟持し、シート束を挟持具と一体に回転する心棒で所定角度巻き取り、所定形状に裁断刃でシート束の下端縁を裁断した状態を、また、図１（ｃ）は、シート束の巻き取りを元に戻した状態を示し、裁断して形成された斜め小口をもつ見本帳等を示す。
【図２】本発明の平面形状の小口に表示部をもつ物品の製造方法の製造工程を示す。
【図３】挟持具にシート束の上端縁を挟持して、心棒に所定回数（角度）巻きつけてからプレス機の裁断刃によりシート束をシート面に直角に裁断する本発明の小口に表示部をもつ物品の製造装置の主要部を示す。
【図４】図４（ａ）は、本発明のシート束の平面形状の小口に表示部をもつ物品の製造方法において、平坦なシート束の上端縁を心棒に形成した長溝に嵌入し、挟持具で挟持した状態を示す。また、図４（ｂ）は、立体形状の小口をもつ物品の製造に際し、同じく凸状の丸みをもつシート束の上端縁を心棒に形成した底部に凹状の丸みをもつ長溝に嵌入して、底部の凹状の丸みにシート束の上端縁の凸状の丸みを密着させた後、凸状の丸みをもつシート束の上端縁を挟持具で挟持した状態を示す。
【図５】図１（ｃ）のＡ矢視部の部分拡大図であって、裁断したシートの上地と次地の面差を示す。
【図６】本発明の立体形状の小口に表示部をもつ物品の製造方法の製造工程を示す。
【図７】シート束の上端縁の部分拡大図を示し、図７（ａ）は、従来の製造方法により形成したシート束の上端縁の部分拡大図を、また、図７（ｂ）は、本発明の製造方法により形成したシート束の上端縁の部分拡大図を示す。
【図８】平面状の斜め小口に絵柄を浮出した従来のメモ帳、見本帳等の斜視図を示す。
【図９】平面状の斜め小口をもつメモ帳、見本帳等の製造装置（プレス機）の従来例を示す。
【図１０】小口に立体状の絵柄を形成した従来のメモ帳を示し、図１０（ａ）は、その斜視図を、図１０（ｂ）は、図９（ａ）のＹ−Ｙ矢視断面図を示す。
【発明を実施するための形態】
【００１８】
以下、本発明の小口に表示部をもつ物品の製造方法のメモ帳、服地・壁クロス見本帳等（以下、メモ帳という）の実施例について詳細に説明する。
【００１９】
ここで、本実施例により製造される物品の形状は、図１（ｃ）に示したメモ帳と同じ形状であり、このメモ帳１は所定の大きさの多数（例えば１００枚）のシート２ａをその上端縁５の綴じ面（背口）を揃えて重合し、上端縁５を接着剤等により固定しシート束２を構成する。そして、その下端縁６ａを解放状として傾斜させた斜め小口６とし、印刷表示パターンとして、各シート２ａの表面にアルファベット、絵柄等（例えばかぼちゃ）の表示部７を形成する。さらに、メモ帳１の両側に、左側束３と右側束４とを形成して所定の巾をメモ帳１にもたせる。このような構成により、メモ帳１のシート２ａを指でめくっても最後まで斜め小口表示（印刷表示パターン）７が斜め小口６に浮き出るようになっている。服地あるいは壁クロスの見本帳の場合には、メモ帳に比べて、裁断する布厚が幾分厚くなる点のみが相違する。
【実施例１】
【００２０】
平面形状の小口をもつ物品の製造方法
以下、図１（ａ）〜図１（ｃ）、図２〜図５を参照して、本発明の実施例による平面形状の小口（下端縁）をもつメモ帳あるいは服地・壁クロス見本帳等の物品の製造方法を説明する。
【００２１】
工程１
図１（ａ）に示すような、小口（下端縁）６に表示部をもつ物品（例えば、メモ帳、服地あるいは壁クロス見本帳）１を製造する場合には、まず、物品１の仕上り後の各寸法（シート巾、シートの長手方向寸法、物品厚み等）を予め決定して、小口６の面積を、印刷パターン７を小口面に鮮明に浮き出すため、算出する。そして、この小口６にマッチした印刷パターン（表示部）７（例えば、ハロウィーンのかぼちゃ）のデザイン処理を行う。そして、印刷パターン７を含む物品１の仕上りサンプルを作成し、各寸法及びデザインのチェックを行った後、印刷パターン７印刷用の印刷版を作成する。印刷パターン７の同一寸法（巾及び長手方向寸法）をもつシート２ａ（例えば、１００枚分）毎への印刷は、シート２ａ毎に印刷の位置づれが生じないようにして同一印刷パターン７をシート２ａの表面に高精度で印刷する。
【００２２】
工程２
次いで、挟持具で挟持する全シート２ａについて、同一のパターン７の印刷が完了した後、通常の糊により各シート２ａの上端縁５を糊付けして、各シート２ａを本綴し、シート束２を形成する（図１（ａ）参照）。
【００２３】
工程３
さらに、図３に示すように、定盤１０ａ上に本綴じしたシート束３を載置し、心棒（円形断面あるいは角形断面）８の軸方向表面に刻設した所定の深さの長溝９にシート束２の上端縁５を嵌入して、心棒８と一体に設けた挟持具８ｂでシート束２の上端縁５を挟持して、所定角度（通常、０°（０回転）から１０８０°（３回転））矢印方向に巻き取って心棒８に巻きつける。ここで、心棒８の直径は、シート厚、硬さ等により変化するが、１０ｍｍ〜１５ｍｍ程度が適当であって、それ以下の直径では、巻き取ったシート束２がよじれ、また、それ以上の直径では、小さい寸法のシート２ａを巻き取れない（図２参照）。
【００２４】
工程４
シート束２を心棒８に巻きつけ所定角度に保持した状態で、シート束２の上面を押圧具１０ｂで押圧しつつ、プレス機の裁断刃１０ｃをシート面に直角に降下させて、図１（ｂ）に仮想線６ｂで示すように、シート束２の下端縁６ａの近傍を所定形状に裁断する（図２及び図３参照）。
【００２５】
工程５
最後に、心棒８によるシート束２の巻き取りを解除して元に戻すと、図１（ｃ）に示すように、シート束２の下端縁６ａに表示部７が浮き出た小口６が形成されるようになる。
【００２６】
なお、服地見本帳を製造する場合には、服地（厚みを１ｍｍとする）の心棒８への巻き取り角を７２０°（２回転）から１０８０°（３回転）にすると、斜め小口面の上地（一番上の服地）と次地（次の服地）との面差（出入差）（図５参照）ｌが１ｃｍ程度となり、この面２ｂに絵柄あるいは見出し、服地の品名の表示等が現出し、見易い見本帳を作成できるようになる。
【００２７】
また、図５に示す上地と次地との服地の面差ｌは、服地の布厚ｔにより変化するので、この心棒８への巻き取り回転角度を調整して所定の長さの服地面差を形成するようにする。
【００２８】
この服地面の出入差ｌは、図３に示すように、最初に巻かれたシート２ａの心棒８の駆動軸８ａの中心からの半径をｒ1、次に巻かれたシート２ａの該中心からの半径をｒ2とし、服地の厚みｔを１ｍｍ（ｒ2＝ｒ1＋ｔ（シートの厚み））とすると、巻きとられたシート２ａの円周が２πｒ1で算出されるから、巻き取りが１回転で、２πｒ2−２πｒ1＝３．１４ｍｍの差（ｌ）が、また、巻き取りが２回転で、６．２８ｍｍとなり、十分な面差ｌをもつ面差部２ｂが小口６に形成され、この小口６の面差部２ｂに商品名等を表示すること（表示部７ａ）が可能となる（図５参照）。
【００２９】
また、図３に仮想線で示すように、心棒８に巻きとったシート束２の外周縁が盛り上って、プレス機の押圧具１０ｂに干渉するのを避けるため、心棒８の駆動軸８ａの両端を軸受台により軸受し、駆動軸８ａを昇降させ、巻き取ったシート束２の上面の位置を定盤１０ａに水平となるよう調節して裁断の精度を保持してもよい。
【実施例２】
【００３０】
立体形状の小口をもつ物品の製造方法
他方、図１０（ａ）と図１０（ｂ）に示すような、下端縁に立体状の小口を形成する場合には、図４（ｂ）に示すように、心棒８の軸方向表面に底部に所定形状の丸み（凹部）Ｐをもつ長溝９ａを刻設し、上端縁５ａを乾燥状態でゴム状の糊で仮糊付したシート束２をこの長溝９ａの丸み（凹所）に、シート束２の上端縁５ａが接触するまで押圧しつつ嵌入する。
【００３１】
すなわち、このような立体状の小口をシート束２の下端縁６ａに形成し、前述した立体形状の斜め小口をもつ物品を製造する場合には、心棒８に形成した底部に丸みＰをもつ長溝９ａにシート束２を嵌入後、締付具８ｂによりシート束２の側面を締付け、心棒８に所定回数巻き取った後、巻き取った状態で、シート束２の下端縁６ａの近傍を裁断し、最後に、心棒８によるシート束２の巻き取りを解除して上端縁５ａを紙面に直角になるよう揃え直して元に戻すと、下端縁６ａに表示部７ａをもつ立体形状の小口が形成される。
【００３２】
とくに、本発明のシート束の下端縁に表示部をもつ物品の製造方法によると、図７（ａ）に示すように、シート束２の下端縁の断面の形状Ｐａが複数の傾斜部により立体形状に形成されていたものに比較して、図７（ｂ）に示すように、心棒８に形成した長溝９ａの底部に設けた丸みに対応した凸状の滑らかな輪郭Ｐｂの下端縁６が形成されることになる。
【００３３】
以下、当該製造工程を詳細に説明する。
【００３４】
工程１
図１（ｃ）に示すような斜小口を立体形状にしたメモ帳１を製造する場合には、平面状の小口をもつ物品の製造方法と同じように、まず、メモ帳１の仕上り後の各寸法（シート巾、シートの長手方向寸法、メモ帳厚み等）を予め決定して、斜小口６の面積を、絵柄（印刷パターン）７を立体状小口面に鮮明に浮出すため、算出する。そして、この立体状の小口６にマッチした印刷パターン７（例えば、ハロウィーンのかぼちゃ）のデザイン処理を行う。そして、印刷パターン７を含むメモ帳１の仕上りサンプルを作成し、各寸法及びデザインのチェックを行った後、印刷パターン７印刷用の印刷版を作成する。そして、印刷パターン７の同一寸法（巾及び長手方向寸法）をもつシート２ａ毎への印刷（例えば、１００枚分）は、シート２ａ毎に印刷の位置づれが生じないようにして同一印刷パターン７をシート２ａの紙面に高精度印刷する。
【００３５】
工程２
次いで、全シート２ａについて、同一のパターン印刷が完了した後、上端縁５の仕上げ裁断を用いない、この上端縁５に、乾燥後、ゴムのように伸縮自在な市販のゴム糊５ａを糊付けして、シート２ａがばらばらにならないように、仮綴じしてシート束２を形成する。
【００３６】
工程３
さらに、図４（ｂ）に示すように、上端縁５を、伸縮自在なゴム糊で糊付けして仮綴したメモ帳１を、その上端縁５を先にし、上端縁６を長溝９ａ内に嵌入させ、心棒（型）８の丸みをもつ当接面（凹型）Ｐに密着させる。
【００３７】
工程４
次いで、このように、メモ帳１の上端縁５が型８の凹状の当接面Ｐに密着した状態で、シート束２を挟持具８ｂにより挟持し心棒８に所定回数巻き取り押圧保持し、別途配置したプレス機の裁断刃を図１（ｂ）の仮想線６ｂに示すように、シート２ａのシート面に直角に降下させて、メモ帳１のシート束２の上端縁６ａの近傍を所定の立体形状に裁断して、型抜きする。これにより、シート束２の下端縁６ａに立体形状（凸状）の小口６が形成される。
【００３８】
工程５
最後に、心棒によるシート束２の巻き取りを解除して、シート束２を元に戻し、シート束２の上端縁５をシート面に直角に揃え戻すと、メモ帳１の上端縁６に型（心棒）８の当接面（凹状）Ｐに対応した立体（凸状）形状が正確に形成される。
【００３９】
工程６
そして、シート束２の下端縁５に、伸縮性のない糊を再糊付して、本綴じを行う。この再糊付により、図１（ｃ）に示すような、メモ帳１が完成し、シート２ａをメモ帳１の上部から順次指先によりめくり、あるいは取り除いても残余のシート２ａの表面と、その裁断された下端縁（小口）６に、立体形状の表示パターンが連続して浮出るようになる。
【産業上の利用可能性】
【００４０】
本発明の小口に表示部をもつ物品の製造方法は、メモ帳のみならず、小口に表示部を平面状あるいは立体状に表示させる用紙、服地、壁クロス等の見本帳の製造に広く利用できる。
【符号の説明】
【００４１】
１  表示部をもつ物品
２  シート束
２ａ  シート
３  左側束
４  右側束
５  上端縁（背口）
６  下端縁（斜め小口）
７  印刷表示パターン
８  心棒
８ｂ  締付具
９，９ａ  長溝
１０ａ  定盤
１０ｂ  押圧具
１０ｃ  裁断刃
【図１】
2010162720.tif 000003
【図２】
2010162720.tif 000004
【図３】
2010162720.tif 000005
【図４】
2010162720.tif 000006
【図５】
2010162720.tif 000007
【図６】
2010162720.tif 000008
【図７】
2010162720.tif 000009
【図８】
2010162720.tif 000010
【図９】
2010162720.tif 000011
【図１０】
2010162720.tif 000012